(57)【特許請求の範囲】
【請求項１】
天板と側壁を有しており、側壁はその下部に破断部を介してタンパーエビデンスバンドが設けられ、閉栓時に、びん口のビード部に係止するビード係止部がタンパーエビデンスバンドより延設され、開栓時に破断部が切断してからタンパーエビデンスバンドが側壁から離れるピルファープルーフキャップであり、
天板内面より環状中足が形成され、環状中足の下端より内方環状分岐部と外方環状分岐部の２枚の環状分岐部が形成され、
閉栓前は外方環状分岐部の先端は、びん口内壁より外側にあり、内方環状分岐部の先端は、びん口の内壁と当接するか、若しくは内側にあり、
閉栓時に環状中足が復元力を持った弾性をもってねじれながら二重に折り重なった状態となるようにたわみ、これにより２枚の環状分岐部のびん口側の表面が、びん口の頂面と、びん口の内壁と、びん口の内壁及びびん口の頂面間のコーナー部とに押し付けられた状態でシール状態が保たれている一方、
開栓時は、破断部が切断されてタンパーエビデンスバンドが離れるまで２枚の環状分岐部の少なくとも１枚が、環状中足のたわみ弾性によりシール状態を保つように構成されたピルファープルーフキャップであって、
天板の内面がびん口の頂面に平行になる状態で閉栓されるよう構成されているとともに、
天板内面およびびん口頂面間に外方環状分岐部を挟みながら閉栓状態が維持されるよう構成されており、
さらに、閉栓時に外方環状分岐部のびん口側の表面がびん口の外壁及びびん口の頂面間のコーナー部をもシールすべく閉栓前の外方環状分岐部の先端はびん口の頂面の外側まで延びていることを特徴とするピルファープルーフキャップ。
【請求項２】
内方環状分岐部と外方環状分岐部の開き角度が９０°以下である請求項１のピルファープルーフキャップ。
【請求項３】
環状中足のつけ根部を薄肉とした請求項１又は２のピルファープルーフキャップ。
【請求項４】
内方環状分岐部又は外方環状分岐部の少なくともいずれか一方のびん口との接触部に環状突起を設けた請求項１乃至３のいずれかのピルファープルーフキャップ。
【請求項５】
環状中足のつけ根部が、びん口の内壁より内側にある請求項１乃至４のいずれかのピルファープルーフキャップ。
【請求項６】
環状中足が天板内面より垂下して形成され、内方環状分岐部と外方環状分岐部が分岐する請求項１乃至４のいずれかのピルファープルーフキャップ。
【請求項７】
環状中足が天板内面より側壁側に傾く状態で形成され、内方環状分岐部と外方環状分岐部に分岐する請求項１乃至５のいずれかのピルファープルーフキャップ。
【発明の詳細な説明】
【０００１】
【発明の属する技術分野】
本発明は、天板と側壁を有しており、側壁はその下部に破断部を介してタンパーエビデンスバンドが設けられ、タンパーエビデンスバンドより閉栓時に、びん口のビード部に係止するビード係止部が延設され、開栓時に破断部を切断することにより、タンパーエビデンスバンドが側壁から離れるピルファープルーフキャップに関するものである。
【０００２】
【従来の技術及び問題点】
従来のピルファープルーフキャップは、開栓した時に破断部が切断し、タンパーエビデンスバンドがキャップ本体より離れることを視認する事により、開栓の有無を知ることができた。しかし、破断部が切断しない程度に栓を回す場合を想像していなかった。破断部が切断しない程度にキャップを回すと、場合によっては、キャップとびん口とのシール性を損なうことにより、外気の侵入により、雑菌が入りびん内容物を腐食させたり、炭酸飲料の場合はびん内の炭酸ガスが抜けるといった不具合を生じることがあった。
【０００３】
【問題点を解決するための手段】
本発明は破断部を破断しない程度にキャップを回してもキャップとのシール性を保つピルファープルーフキャップを提供する事にあり、請求項１の発明は、天板と側壁を有しており、側壁はその下部に破断部を介してタンパーエビデンスバンドが設けられ、閉栓時に、びん口のビード部に係止するビード係止部がタンパーエビデンスバンドより延設され、開栓時に破断部が切断してからタンパーエビデンスバンドが側壁から離れるピルファープルーフキャップであり、
天板内面より環状中足が形成され、環状中足の下端より内方環状分岐部と外方環状分岐部の２枚の環状分岐部が形成され、
閉栓前は外方環状分岐部の先端は、びん口内壁より外側にあり、内方環状分岐部の先端は、びん口の内壁と当接するか、若しくは内側にあり、
閉栓時に環状中足が復元力を持った弾性をもってねじれながら二重に折り重なった状態となるようにたわみ、これにより２枚の環状分岐部のびん口側の表面が、びん口の頂面と、びん口の内壁と、びん口の内壁及びびん口の頂面間のコーナー部とに押し付けられた状態でシール状態が保たれている一方、
開栓時は、破断部が切断されてタンパーエビデンスバンドが離れるまで２枚の環状分岐部の少なくとも１枚が、環状中足のたわみ弾性によりシール状態を保つように構成されたピルファープルーフキャップであって、
天板の内面がびん口の頂面に平行になる状態で閉栓されるよう構成されているとともに、
天板内面およびびん口頂面間に外方環状分岐部を挟みながら閉栓状態が維持されるよう構成されており、
さらに、閉栓時に外方環状分岐部のびん口側の表面がびん口の外壁及びびん口の頂面間のコーナー部をもシールすべく閉栓前の外方環状分岐部の先端はびん口の頂面の外側まで延びていることを特徴とする。
【０００４】
請求項２の発明は、内方環状分岐部と外方環状分岐部の開き角度が９０°以下である請求項１のピルファープルーフキャップである。請求項３の発明は、環状中足のつけ根部を薄肉とした請求項１又は２のピルファープルーフキャップである。請求項４の発明は、内方環状分岐部又は外方環状分岐部の少なくともいずれか一方のびん口との接触部に環状突起を設けた請求項１乃至３のいずれかのピルファープルーフキャップである。請求項５の発明は、環状中足のつけ根部が、びん口の内壁より内側にある請求項１乃至４のいずれかのピルファープルーフキャップである。請求項６の発明は、環状中足が天板内面より垂下して形成され、内方環状分岐部と外方環状分岐部が分岐する請求項１乃至４のいずれかのピルファープルーフキャップである。請求項７の発明は、環状中足が天板内面より側壁側に傾く状態で形成され、内方環状分岐部と外方環状分岐部に分岐する請求項１乃至５のいずれかのピルファープルーフキャップである。
【０００５】
【作用及び効果】
閉栓前（図１）の外方環状分岐部の先端がびん口の頂面のびん口内外壁の間にある参考例（図１及び図２）の場合、閉栓時（図２）に環状中足が復元力を持った弾性をもってねじれながら二重に折り重なった状態となるようにたわみ、これにより両環状分岐部のびん口側の表面は、びん口の頂面と内壁に押し付けられ、更にびん口の頂面はネジ込みの力により外方環状分岐部がパッキンの役目をする。これに加えて外方環状分岐部と内方環状分岐部の拡開によりびん口の頂面、頂面とびん口の内壁間のコーナー部及びびん口の内壁を挟み込む。
一方、本発明（図３及び図４）では、さらに、閉栓前（図３）の外方環状分岐部の先端はびん口の頂面の外側まで延びており、閉栓時（図４）に環状中足が復元力を持った弾性をもってねじれながら二重に折り重なった状態となるようにたわみ、これにより外方環状分岐部のびん口側の表面は、びん口の外壁とびん口の頂面間のコーナー部をもシールすることができる。開栓時には、破断部が伸長しても、環状中足のたわみ弾性により、両環状分岐部がシール状態を保ち、破断部が完全に切断された後に初めてシールが解除されるように構成されているので、破断部が破断しない程度にキャップを回してもシール状態が保たれ、外気の侵入を防げる。
【０００６】
【実施例】
図１及び図２は第１参考例であり、図１に示されるように、天板２と側壁３を有しており、側壁３はその下部に破断部４を介してタンパーエビデンスバンド５が設けられ、閉栓時に、びん口６のビード部に係止するビード係止部７がタンパーエビデンスバンド５より延設され、開栓時に破断部４を切断することにより、タンパーエビデンスバンド５が側壁３から離れるピルファープルーフキャップ１であり、天板内面８より環状中足９が下向きに形成され、環状中足９の下端より内方環状分岐部１０と外方環状分岐部１１の２枚の環状分岐部１０、１１が形成され、閉栓前は外方環状分岐部の先端１１ａは、びん口内壁１３より外側にあり、内方環状分岐部１０の先端１０ａは、びん口の内壁１３と当接するか、若しくは内側にある。図２に示されるように、閉栓時に環状中足が復元力を持った弾性をもってねじれながら二重に折り重なった状態となるようにたわみ、これにより２枚の環状分岐部１０，１１がびん口の内壁１３、内壁１３とびん口の頂面２０とのコーナー部１４又は頂面２０のいずれか（図２の例では３ヶ所全部）をシールし、開栓時は、破断部４が切断されてタンパーエビデンスバンド５が離れるまで２枚の環状分岐部１０，１１の少なくとも１枚がシール状態を保つように構成されている。内方環状分岐部１０と外方環状分岐部１１の開き角度が９０°以下であり、びん口の内壁１３、頂面２０及びそのコーナー部１４との強固な接触を可能とする。環状中足９のつけ根部１５が、びん口の内壁１３より内側にあり、環状中足９が天板内面８より垂下して形成され、その環状中足９の先端部より内方環状分岐部１０と外方環状分岐部１１が分岐している。
さらに、天板２の内面８がびん口６の頂面２０に平行になる状態で閉栓されるよう構成されているとともに、天板内面８およびびん口頂面２０間に外方環状分岐部１１を挟みながら閉栓状態が維持されるよう構成されている。
【０００７】
図３及び図４は、本発明の一実施例であり、前記参考例の外方環状分岐部１１の先端１１ａがびん口６の頂面２０のびん口内外壁１３，２１の間にあるのに対し、この一実施例の外方環状分岐部１１の先端１１ａはびん口６の頂面２０の外側まで延びており、閉栓時に外方環状分岐部１１の内面は、びん口の外壁２１と頂面２０のコーナー部１６もシールする。外方環状分岐部１１の先端１１ａが開栓時にコーナー部１６からびん口の頂面２０にかけてスライドしながらシールする形態にしてもよいが、図３及び図４のようにキャップ１の天板内面８と側壁内面３ａとの間のコーナー部に環状膨出部２５を設けて、閉栓時に外方環状分岐部１１の先端１１ａを折り曲げてしっかりとシールする形態をとってもよい。その他の構造は図１及び図２の第１参考例と同様であるので、その説明は省略する。
【０００８】
図５は、第２参考例であり、環状中足９のつけ根部１５を薄肉として環状中足９がつけ根部１５で曲がり易くしたものである。又、内方環状分岐部１０のびん口６の内壁との接触部に環状突起１７を設け、びん口６の内壁と内方環状分岐部１０とのシール性を高めている。この環状突起１７は、外方環状分岐部１１の内面に設けてもよく、内外環状分岐部１０，１１両方の内面に設けてもよい。その他の構造は第１参考例と同様であるので説明を省略する。
【０００９】
図６は第３参考例であり、環状中足９が天板内面８より側壁側に傾く状態で形成され、内方環状分岐部１０と外方環状分岐部１１に分岐する構造をとっているが、その他の構造は第１参考例と同様であるので説明を省略する。
【図面の簡単な説明】
【図１】  ピルファープルーフキャップの第１参考例の閉栓前の断面図である。
【図２】  ピルファープルーフキャップの第１参考例の閉栓時の断面図である。
【図３】  本発明のピルファープルーフキャップの一実施例の閉栓前の断面図である。
【図４】  本発明のピルファープルーフキャップの一実施例の閉栓時の断面図である。
【図５】  ピルファープルーフキャップの第２参考例の閉栓前の断面図である。
【図６】  ピルファープルーフキャップの第３参考例の閉栓前の断面図である。
【符号の説明】
１      ピルファープルーフキャップ
２      天板
３      側壁
４      破断部
５      タンパーエビデンスバンド
６      びん口
７      ビード係止部
８      天板内面
９      環状中足
１０    内方環状分岐部
１０ａ  先端
１１    外方環状分岐部
１１ａ 外方環状分岐部の先端
１３    びん口の内壁
１４    びん口の内壁及びびん口の頂面のコーナー部
１５    つけ根部
１６    びん口の外壁とびん口の頂面のコーナー部
１７    環状突起
２０    びん口の頂面
２１    びん口の外壁
【図１】
0004521681.tif 000002
【図２】
0004521681.tif 000003
【図３】
0004521681.tif 000004
【図４】
0004521681.tif 000005
【図５】
0004521681.tif 000006
【図６】
0004521681.tif 000007